(57)【要約】  本発明は、配管取り付け用流れスイッチを供給する。その流れスイッチは、配管取り付け用流れスイッチであって、内部キャビティを持つ流れスイッチベースと、該流れスイッチベース内で回転するように配置された枢軸ロッドと、内部キャビティの中の枢軸ロッドに結合され、配管内を流れる流体に対して動き、枢軸アームを回転するパドルアームと、  前記枢軸アームが回転するとき、スイッチを作動させるために前記枢軸アームと前記枢軸ロッドの間で結合された操作アームと、検知されている流体と外部環境の間で各々のシール機能を提供して、パドルアームが動くとき、枢軸ロッドがその（ベアリングの）上で回転するベアリングとして働くために枢軸ロッドに対して配置されている油をさされたＯリングと、を備える。
2010525525.tif 000002
【特許請求の範囲】
【請求項１】
配管取り付け用流れスイッチであって、
内部キャビティを持つ流れスイッチベースと、
該流れスイッチベース内で回転するように配置された枢軸ロッドと、
内部キャビティの中の前記枢軸ロッドに結合され、配管内を流れる流体に対して動き、枢軸アームを回転するパドルアームと、
前記枢軸アームが回転するとき、スイッチを作動させるために前記枢軸アームと前記枢軸ロッドの間で結合された操作アームと、
検知されている流体と外部環境の間で各々のシール機能を提供して、前記パドルアームが動くとき、前記枢軸ロッドがその（ベアリングの）表面上で回転するベアリングとして働くために前記枢軸ロッドに対して配置されている油をさされたＯリングと、を備える流れスイッチ。
【請求項２】
前記枢軸ロッドが一対のＯリング溝を持ち、前記油をさされたＯリングは、各々のＯリングを各々のＯリング溝に配置して、前記枢軸ロッドの上に設置され、前記Ｏリング溝は配管を流れる加圧流体に対して前記枢軸アーム上の所定位置に前記Ｏリングを保持する働きをする、請求項１に記載の流れスイッチ。
【請求項３】
前記流れスイッチベースが一対のＯリング凹部を有し、油をさされた各Ｏリングは各々のＯリング凹部に配置されて、流れスイッチは、前記Ｏリングを配管内を流れている加圧流体に対して所定位置に保持するための機械式デバイスを持つ、請求項１に記載の流れスイッチ。
【請求項４】
前記操作アームが前記枢軸アームと前記枢軸ロッドの間で固定されて結合する、請求項１に記載の流れスイッチ。
【請求項５】
前記枢軸アームの回転がスイッチを作動させる直線位置へ前記操作アームを介して変換される請求項１に記載の流れスイッチ。
【請求項６】
前記パドルアームが前記枢軸アームに固定される請求項１に記載の流れスイッチ。
【請求項７】
流れ又は流れ無しが検知されたとき、電気信号を発生又は消滅できるスナップスイッチである請求項１に記載の流れスイッチ。
【請求項８】
前記枢軸ロッドは、前記流れスイッチベースの壁の開口を通過してスライドし、前記枢軸ロッドを係止するために一端で拡大した部分を持ち、反対側で前記操作アームを受けるための第２の部分を持つ、請求項１に記載の流れスイッチ。
【請求項９】
油をさされているＯリングが一つ以上の機械式デバイスにより前記枢軸ロッドの上で所定位置に保持される請求項１に記載の流れスイッチ。
【請求項１０】
作動圧力の変化によるスイッチング点の変化が無視できるようにするバランスデザインを提供するようにＯリングが配置された請求項１に記載の流れスイッチ。
【請求項１１】
配管取り付け用流れスイッチを製造する方法であって、
内部キャビティを持つ流れスイッチベースを供給するステップと、
油をさされたＯリングを枢軸ロッドに取り付けるステップであり、各Ｏリングは、前記枢軸ロッドの各Ｏリング溝に配置されて、検知されている流体と外部環境の間で各々のシール機能を供給して、各Ｏリングは前記枢軸ロッドがその（ベアリングの）表面上で回転するベアリングとして働き、前記Ｏリング溝は配管内を流れている加圧流体に対してＯリングを枢軸アームの上で所定位置に保持する、ステップと、
前記流れスイッチベース内で回転する前記枢軸ロッドを挿入するステップと、
パドルアームが配管内を流れる流体に対して動いて、枢軸アームを回転させるために、キャビティ内の前記パドルアームを前記枢軸ロッドに結合させるステップと、
前記枢軸アームが回転するとき、スイッチを作動させるために前記枢軸アームと前記枢軸ロッドの間で操作アームを結合させるステップと、
を備える方法。
【請求項１２】
前記操作アームが前記枢軸アームと前記枢軸ロッドの間で固定結合される請求項１１に記載の方法。
【請求項１３】
前記枢軸アームの回転がスイッチを作動させる直線位置へ前記操作アームを介して変換される請求項１１に記載の方法。
【請求項１４】
前記パドルアームが前記枢軸アームに固定される請求項１１に記載の方法。
【請求項１５】
流れ又は流れ無しが検知されたとき、前記スイッチは、電気信号を発生又は消滅できるスナップスイッチである、請求項１に記載の方法。
【請求項１６】
配管取り付け用流れスイッチを製造する方法であって、
内部キャビティとＯリング凹部を有する流れスイッチベースを供給するステップと、
油をさされたＯリングを前記Ｏリング凹部に取り付けるステップであり、検知されている流体と外部環境の間で各々のシール機能を供給して、Ｏリングは枢軸ロッドがその（ベアリングの）表面上で回転するベアリングとして働く、ステップと、
配管内を流れている加圧流体に対してＯリングを前記Ｏリング凹部の所定位置に保持するために機械式デバイスを取り付けるステップと、
前記流れスイッチベース内で回転する前記枢軸ロッドを挿入するステップと、
パドルアームが配管内を流れる流体に対して動いて、枢軸アームを回転させるために、キャビティ内の前記パドルアームを前記枢軸ロッドに結合させるステップと、
前記枢軸アームが回転するときスイッチを作動させるために前記枢軸アームと前記枢軸ロッドの間で操作アームを結合させるステップと、
を備える方法。
【請求項１７】
前記操作アームが前記枢軸アームと前記枢軸ロッドの間で固定結合される請求項１６に記載の方法。
【請求項１８】
前記枢軸アームの回転が、スイッチを作動させる直線位置へ前記操作アームを介して変換される請求項１６に記載の方法。
【請求項１９】
前記パドルアームが前記枢軸アームに固定される請求項１６に記載の方法。
【請求項２０】
流れ又は流れ無しが検知されたとき、前記スイッチは、電気信号を発生又は消滅できるスナップスイッチである、請求項１６に記載の方法。
【発明の詳細な説明】
【技術分野】
【０００１】
関連出願の相互参照
本出願は、２００７年４月２０日出願の米国出願第１１/７８８,７７６号の利益を要求する。そして、それは完全に参照によりここに取り入れられる。
【０００２】
１．発明の分野
本発明は、流れスイッチに関するものであり、特にパイプライン内の、流れ状態又は流れ状態でない液体を監視し検知するのに用いられる流れスイッチに関する。
【背景技術】
【０００３】
２.関連技術の簡単な説明
流れスイッチは、パイプライン内の、流れ状態又は流れ状態でない液体を監視し、検知するのに用いられる。流れスイッチは、流れ又は流れ無しが検知されるとき、電気信号を発生又は消滅することができ、そして、流れが止まるとき、信号を発生するのに用いられ、モーターをスタートさせ流れを開始させ、流れが十分なとき警報を遮断する、又は、モーターを停止して流れを無くする。流れスイッチは、一般的に、スイッチを作動させる液体を運ぶ配管内へ取り付けられる濡れた側と電気接続手段を持つ乾いた側を有する。
【発明の概要】
【発明が解決しようとする課題】
【０００４】
公知の流れスイッチの一つを図１に示す。これは２０年以上使用されてきたベローズのデザインを持つ。そして、顧客はそのデザインをよく知っている。しかし、このデザインは、以下の不利な点がある。
すなわち、ユニットからユニットまでの不安定なスイッチング点、最少のセッティング（調節点）においてユニットをスイッチするために要求される比較的高い操作力、作動圧力が変化したときのスイッチング点の変化、である。
【０００５】
ベローズは、フォーミング（ forming ;泡立ち）と掃除の後、残った洗浄液残りから腐食するかもしれない。ベローズはフランジにはんだ付けされなければならない。そして、はんだは鉛を含むかもしれない。それ（ベローズ）が前後に曲がって、ベローズは金属疲労により破断するかもしれない。そして、パドルアームは、ベローズ変形のためにベースの中心に整列できないかもしれない。
【０００６】
さらに、先行技術サーチが実行され、以下のように、多くの異なる弁装置が見つかった。
【０００７】
１台の弁装置は、弁のハウジングに配置された、Ｏリングシール付きのシャフトを有しており、流体流れにより作動される。シャフトの反対側は、外部環境への露出がなく凹部内に配置される。シャフトは、カムのような方法でスイッチのスイッチボタンと協力するために、平らな部分を持つ。しかし、シャフトが一方の端でＯリングを備えているだけであるので、弁装置デザインはアンバランスになっている。そして、平らな部分と底の部分との間のカム類似の関係は、特に弁装置がすり減る摩擦の増加に寄与しそうである。
【０００８】
ある流体流れ検出装置は、シャフトに配置された一対のＯリングを有する。しかしＯリングはＯリング溝に配置されない。したがって、（Ｏリングは）配管内を流れている加圧流体に対して、それら（Ｏリング）を枢軸アーム上で所定位置に保持するために、ワッシャーとナットを必要とする。
【０００９】
ある流れスイッチは、貫通してパドルに接続しているシャフトを有する側壁を持つ。シャフトは、Ｏリングを持つどちらの側の側壁にも結合しない。スイッチは、磁石と磁気継手により作動する。
【００１０】
ある流体流れ検出装置は、貫通して羽根に接続しているシャフトを有する壁を持つ。シャフトは、液密にシールするために十分な漏れ無いＯリングとワッシャーを備えている。シャフトは、スプリングワッシャーとナットも備えている。
【００１１】
ある流体測定装置は、中心ボディを通過しているシャフトを備えている。シャフトは、適切なパッキング、スリーブとナットを備えている。しかし、シャフトは適切なパッキング又はスリーブを保持するためのＯリング溝を持たない。
【００１２】
ある流体スイッチは、中心フレーム構造内に配置された横断ピンを有し、アームを介してそれ（ピン）に結合させられるディスクを有する。ピンは環状の弾力性材料を持つがＯリング溝を持たない。
【００１３】
あるスプールたわみインジケーターは、Ｏリングを受けるためにＯリング溝を有し、流体の流れを検知するための振り子パドルを持つシャフトを備えていない。
【００１４】
ある蝶形弁は、シャフトベアリングを持つシャフトを備えている。本体は、ベアリングを受けるためでは無い溝を有するが、シャフトは溝を持たない。
【００１５】
ある流体反応スイッチ用枢軸アームシールは、枢軸ピンに配置される枢軸アームを有し、枢軸ピンは、枢軸アームが弾力性シールの間で更なる結合を提供するためのエラストマ材料を受けるための円周の溝を持つ。枢軸アームは、ベアリングを受けるための溝を持たない。
【課題を解決するための手段】
【００１６】
発明の概要
最も広義に、本発明は、配管に取り付けるために新しくてユニークな流れスイッチを特徴付ける。そして、その流れスイッチは、
内部キャビティを持つ流れスイッチベースと、
該流れスイッチベース内で回転するように配置された枢軸ロッドと、
内部キャビティの中の枢軸ロッドに結合され、配管内を流れる流体に対して動き、枢軸アームを回転するパドルアームと、
前記枢軸アームが回転するとき、スイッチを作動させるために前記枢軸アームと前記枢軸ロッドの間で結合された操作アームと、
検知されている流体と外部環境の間で各々のシール機能を提供して、パドルアームが動くとき、枢軸ロッドがその（ベアリングの）表面上で回転するベアリングとして働くために枢軸ロッドに対して配置されている油をさされたＯリングと、を備える。
【００１７】
一つの実施形態において、枢軸ロッドは一対のＯリング溝を持ち、油をさされたＯリングは、各々のＯリングを各々のＯリング溝に配置して、枢軸ロッドの上に設置され、Ｏリング溝は配管を流れる加圧流体に対して枢軸アーム上の所定位置にＯリングを保持する働きをする。
【００１８】
他の実施形態において、流れスイッチベースは一対のＯリング凹部を有し、油をさされた各Ｏリングは各々のＯリング凹部に配置されて、流れスイッチは、Ｏリングを配管内を流れている加圧流体に対して所定位置に保持するための機械式デバイスを持つ。
【００１９】
操作アームは、枢軸アームと枢軸ロッドの間で固定されて結合しても良い。
【００２０】
枢軸アームの回転は、スイッチを作動させる直線位置へ操作アームを介して変換される。
【００２１】
パドルアームは、枢軸アームに固定されても良い。
【００２２】
スイッチは、流れ又は流れ無しが検知されたとき、電気信号を発生又は消滅できるスナップスイッチであっても良い。
【００２３】
枢軸ロッドは、流れスイッチベースの壁の開口を通過してスライドし、枢軸ロッドを係止するために一端で拡大した部分を持ち、反対側で操作アームを受けるための第２の部分を持つ。
【００２４】
発明は、上述した流れスイッチを製造するステップを含んでも良い。流れスイッチ製造の容易さは、発明全体で重要な点である。
【００２５】
本発明のＯリング流れスイッチデザインの長所は、以下の通りである。すなわち、
ユニットからユニットまでの安定したスイッチング点、
可動部分の摩擦が少ない最少のセッティング（調節点）によりスイッチユニットに要求される操作力が小さくなること、
作動圧力の変化によるスイッチング点の変化が無視できるほど小さい、バランスのよいデザイン、
部品又はアセンブリの製造において化学的洗浄手段は不要であること、
ハンダ付けは不要であること、
全ての部品は環境にやさしいこと、
Ｏリングのシール機構は、曲げ疲労による破損がないこと、
パドルアームはベースの中心に整列されて、整列状態が維持されること、
可動部分の動きが最少となり、機械的磨耗が低減すること、
最終組立品は、ベローズ式流れスイッチより少ない部品で済むこと、等である。
【図面の簡単な説明】
【００２６】
【図１】図１は、公知のベローズのデザインを持つ流れスイッチの図である。
【図２】図２は、本発明のＯリングデザインの図である。
【図３ａ】図３ａは、本発明のＯリングデザインの分解図である。
【図３ｂ】図３ｂは、本発明の一実施形態によるＯリングデザインの部分断面図である。
【図３ｃ】図３ｃは、図３ａに示された枢軸ロッドの略図である。
【図３ｄ】図３ｄは、図３ａに示された枢軸ロッドを９０°回転させたもう一つの略図である。
【図３ｅ】図３ｅは、図３ｄに示された枢軸ロッドの線ＡＡに沿った断面図である。
【図３ｆ】図３ｆは、図３ａに示された流れスイッチベースの略図である。
【図３ｇ】図３ｇは、図３ｆに示された流れスイッチベースを９０°回転させた略図である。
【図３ｈ】図３ｈは、図３ｇに示された流れスイッチベースの線ＡＡ−ＡＡに沿った断面図である。
【図３ｉ】図３ｉは、図３ａに示された流れスイッチの略図である。
【図３ｊ】図３ｊは、図３ｉに示された流れスイッチを９０°回転させた略図である。
【図３ｋ】図３ｋは、図３ｉに示された流れスイッチを１８０°を回転させた略図である。
【図４ａ】図４ａは、本発明の一つの実施形態によるＯリングデザインの分解図である。
【図４ｂ】図４ｂは、本発明の一つの実施形態によるＯリングデザインの部分断面図である。
【図４ｃ】図４ｃは、図４ａに示された枢軸ロッドの略図である。
【図４ｄ】図４ｄは、図４ａに示された枢軸ロッドを９０°回転させたもう一つの略図である。
【図４ｅ】図４ｅは、図４ｄに示された枢軸ロッドの線ＡＡに沿った断面図である。
【図４ｆ】図４ｆは、図４ａに示された流れスイッチベースの略図である。
【図４ｇ】図４ｇは、図４ｆに示された流れスイッチベースを９０°回転させた略図である。
【図４ｈ】図４ｈは、図４ｇに示された流れスイッチベースの線ＡＡに沿った断面図である。
【図４ｉ】図４ｉは、図４ａに示された流れスイッチの略図である。
【図４ｊ】図４ｊは、図４ｆに示された流れスイッチを９０°回転させた略図である。
【図４ｋ】図４ｋは、図４ｊに示された流れスイッチの切断線ＡＡに沿った断面図である。
【図５ａ】図５ａは、本発明の流れスイッチの提案された取付け図である。
【図５ｂ】図５ｂは、本発明の流れスイッチのもう一つの提案された取付け図である。
【発明を実施するための形態】
【００２７】
発明の詳細な説明
図２〜３ｋは、１０で示される本発明のＯリング流れスイッチを表す。Ｏリング流れスイッチは、例示として、枢軸ロッド１２上に取り付けられた四つの油をさされたＯリング１１を特徴とする。枢軸ロッド１２は、機械加工又は成形されたＯリング溝１２ａ及び機械加工又は成形されたフランジ１２ｂを備え、これら（Ｏリング溝とフランジ）はＯリング１１を分離する。図示のように、二つのＯリングは、枢軸ロッド１２の両側に設置される。
【００２８】
枢軸ロッド１２は、流れスイッチベース１３の開口１３ａとパドルアーム１４を貫通する。パドルアーム１４は、流れスイッチベース１３の開口１３ｂの中央に配置される。枢軸ロッド１２と開口１３ａは適切な寸法に設定されて、Ｏリング１１は、検知されている流体と外部環境の間のシール機能を提供する。また、枢軸ロッド１２と開口１３ａは適切な寸法に設定されて、Ｏリング１１はまたベアリングの働きもする。流体が流れスイッチ１０を通過して流れパドルアーム１４が動くとき、枢軸ロッド１２がそのベアリング（Ｏリング１１）上で回転する。なお、本発明の範囲は、前述の機能を達成するためのこのような設定寸法のものに限定されることを意図するものではない。
【００２９】
作動時には、枢軸ロッド１２が回転し、この運動は操作アーム１５を介して直線位置へ変換され、それ（直線位置）は、１６で示されるスナップスイッチを作動させる。
【００３０】
パドルアーム１４は、適切な機械式手段又はデバイス１７により枢軸ロッド１２に固定される。操作アーム１５は、適切な機械式手段又はデバイス１８により枢軸ロッド１２に固定される。そして、操作アーム１５は、スナップスイッチ１６を作動するために、意図的にスナップスイッチ１６のアクチュエータ１６ａと当接している。なお、本発明の範囲は、枢軸ロッド１２のパドルアーム１４もしくは操作アーム１５への取付け、又は操作アーム１５のアクチュエータ１６ａへの当接のための特定のタイプ又は種類の機械技術又は方法に限定されることを意図するものではない。
【００３１】
図４ａ〜４ｋは、２０で示される本発明の他のＯリング流れスイッチを示す。その流れスイッチにおいて、油をさされた二つのＯリング２１は、流れスイッチベース２２内へ設置されて、要素又はデバイス２３、２４で所定位置に機械的に保持される。例示として、流れスイッチベース２２はＯリング２１を受けるための内凹部２２ａを備えても良い。そして、機械要素２３、２４は、各々、所定位置にＯリングを保持するためのワッシャー２３と適切な機械式デバイス２４とを含んでも良い。特に、適切な機械式デバイス２４は、内凹部２２ａ内へスライドしても良く、所定位置にＯリング２１とワッシャー２２を保持するために、凹部壁と摩擦により係合しても良い。しかし、本発明の範囲は、Ｏリングが流れスイッチベース２２により受けられる方式又は機械要素２３、２４が所定位置にＯリングを保持する方式に限定されることを意図するものではない。
【００３２】
次に、枢軸ロッド２５は、組み立てられ、流れスイッチベース２２の開口２２ｂとパドルアーム２６を貫通する。パドルアーム２６は、流れスイッチベース２２の開口２２ｃの中央に位置付けられている。枢軸ロッド２５、開口２２ａと開口２２ｂは適切に寸法設定され、Ｏリング２１が、検知されている流体と外部環境の間でシール機能を提供する。枢軸ロッド２５、開口２２ａと開口２２ｂは適切に寸法設定され、Ｏリング２１はまたベアリングの働きもする。流体が流れスイッチ１０を通過して流れてパドルアーム２６が動くとき、枢軸ロッド２５がそのベアリング（Ｏリング２１）上で回転する。なお、本発明の範囲は、前述の機能を達成するためのこのような設定寸法のものに限定されることを意図するものではない。
【００３３】
枢軸ロッド２５が回転するとき、この運動は、スナップスイッチ２８を次に作動させる直線位置へ操作アーム２７を介して変換される。パドルアーム２６は、適切な機械式手段又はデバイス２９により枢軸ロッド２５に固定される。操作アーム２７は、スナップスイッチ２８を作動するために、スナップスイッチ２８のアクチュエータ２８ａと当接している。本発明の範囲は、枢軸ロッド２５をパドルアーム２６もしくは操作アーム２７へ固定する又は操作アーム２７のアクチュエータ２８ａへ当接するための特定のタイプ又は種類の機械技術又は方法に限定されることを意図するものではない。
【００３４】
Ｏリング１１、２１
本発明の範囲は、枢軸ロッド１２、２５の両側に設置されるＯリング１１、２１の数について限定されることを意図するものではない。たとえば、最少限である一つのＯリングが（同様に三つ又は四つ又はより多くのＯリングが）枢軸ロッドの両側に設置される実施形態が構想される。さらに、要素１１、２１のようなＯリングは公知である。そして、本発明の範囲は、そのようなＯリングの特定の横断面、タイプ又はその種類、又は材料に限定されることを意図するものではない。さらに又、Ｏリングを使用しない実施形態も構想されるので、本発明の範囲は複数のＯリング１１の間のフランジ１２ｂの使用に限定されることを意図するものでもない。
【００３５】
スナップスイッチ１６、２８
要素１６、２８のようなスナップスイッチは業界で公知である。そして、本発明の範囲は、スナップスイッチのいかなる特定のタイプも又はその種類に限定されることを意図するものではない。本明細書に記述されるように、そのようなスナップスイッチの作動は、流れスイッチ１０、２０がパイプライン内の液体の流れ又は流れ無し状態を監視し検知することを可能にする（図５ａ、５ｂを参照）。たとえば、流れスイッチ１０、２０は、流れ又は流れ無しが検知されるとき、電気信号を発生又は消滅することができ、そして、流れが止まるとき、信号を発生するのに用いられ、モーターをスタートさせ流れを開始させ、流れが十分なとき警報を遮断する、又は、モーターを停止して流れを無くする。しかし、本発明の範囲は、流れ又は流れ無し状態が検知されるかどうか、あるいは、一旦そのような状態が検知されたとき、必要な措置がとられるかどうかに限定されることを意図するものではない点に注意することが重要である。
【００３６】
パイプライン内の流れスイッチの一般的使用法
図５ａと５ｂは、５０、６０で表示されたパイプラインに配置された本発明の流れスイッチ１０又は２０の一般的使用法を示す。
【００３７】
図５ａにおいて、２本のパイプ５２、５４はカプラー５６で一緒に結合され、流れスイッチ１０又は２０はその（カプラー５６の）中に適切に装着される。
【００３８】
図５ｂにおいて、１本のパイプ６２は、その中に適切に装着された流れスイッチ１０又は２０を有する。
【００３９】
本発明の範囲
本明細書において特に述べられない限り、本明細書の特定の実施形態に関して記述された特徴、特性、選択肢又は変形例のいずれでも、本明細書に記述された他の実施形態のいずれに適用されても良く、使われても良く、取り入れられても良いことを理解すべきである。また、本願の図面は、一定の比率で描かれていない。
【００４０】
本発明はその典型的な実施形態に関して記述され説明されたが、前述事項及び他の種種の追加又は省略が、本発明の思想及び範囲から逸脱することなく、その実施形態においてあるいはその実施形態へなされても良い。
【図１】
2010525525.tif 000003
【図２】
2010525525.tif 000004
【図３ａ】
2010525525.tif 000005
【図３ｂ】
2010525525.tif 000006
【図３ｃ】
2010525525.tif 000007
【図３ｄ】
2010525525.tif 000008
【図３ｅ】
2010525525.tif 000009
【図３ｆ】
2010525525.tif 000010
【図３ｇ】
2010525525.tif 000011
【図３ｈ】
2010525525.tif 000012
【図３ｉ】
2010525525.tif 000013
【図３ｊ】
2010525525.tif 000014
【図３ｋ】
2010525525.tif 000015
【図４ａ】
2010525525.tif 000016
【図４ｂ】
2010525525.tif 000017
【図４ｃ】
2010525525.tif 000018
【図４ｄ】
2010525525.tif 000019
【図４ｅ】
2010525525.tif 000020
【図４ｆ】
2010525525.tif 000021
【図４ｇ】
2010525525.tif 000022
【図４ｈ】
2010525525.tif 000023
【図４ｉ】
2010525525.tif 000024
【図４ｊ】
2010525525.tif 000025
【図４ｋ】
2010525525.tif 000026
【図５ａ】
2010525525.tif 000027
【図５ｂ】
2010525525.tif 000028
【国際調査報告】
2010525525.tif 000029